(57)【特許請求の範囲】
【請求項１】
シートバックの側部にアームレスト本体を設けたアームレスト装置において、前記アームレスト本体の内側面に取付け軸を突設し、この取付け軸を前記シートバックに着脱可能に設け、前記取付け軸に前記アームレスト本体を回動可能に設け、前記シートバックに前記取付け軸を着脱可能に挿入する挿入受け部を設け、この挿入受け部に挿入した前記取付け軸に係合して該取付け軸を固定する係合固定部材を前記シートバックに設け、前記シートバックの側部に開口凹所を形成し、この開口凹所内に前記係合固定部材の操作部を配置し、前記取付け軸に係合凹部を設け、前記係合固定部材は、前記係合凹部に係合する係合部を有する係合プレートと、前記係合部が前記係合凹部に係合するように付勢する付勢手段とを有し、前記係合プレートには該係合プレートを操作する前記操作部を一体に設け、この操作部を一体に設けた係合プレートを案内する案内部材を設け、前記開口凹所に前記挿入受け部と前記案内部材とを収納し、前記挿入受け部の下側に前記操作部を配置し、前記シートバックと前記アームレスト本体との間に可動部分がなく前記アームレスト本体内に可動部分を有するように前記アームレスト本体に角度調節機構を設け、前記アームレスト本体がほぼ水平位置において、前記操作部が該アームレスト本体の内側面により隠れることを特徴とするアームレスト装置。
【発明の詳細な説明】
【０００１】
【発明の属する技術分野】
本発明は、シートバックの側部にアームレスト本体を設けるアームレスト装置に関する。
【０００２】
【発明が解決しようとする課題】
従来、車両用のアームレスト装置では、シートバックの側部にアームレスト本体を設けると共に、このアームレストをほぼ水平な使用位置から起伏位置に回動可能としたものがある。例えば、特開平４−３６１７０８号公報には、背凭シートの側部に側方に突出するように設けた取付軸と、該取付軸に固定され該軸の軸回りにギヤを形成したセクタギヤと、前記取付軸に回動自在に取付けたアームレストのアームレストフレームと、該アームレストフレームに設けた前記セクタギヤに継脱するロックギヤと、該ロックギヤを前記セクタギヤに係合するように付勢するバネと、前記ロックギヤを回動させる操作ノブとからなるものにおいて、ロックギヤは前後方向に回動するように設け、操作ノブはアームレストフレームの先側に左右方向に摺動可能に設け、該操作ノブとロックギヤとの間には前記操作ノブの左右方向移動を前後方向移動に変換してロックギヤを回動させるカム機構を設けたアームレスト（公報特許請求の範囲）が提案されており、このアームレストでは、ロックギヤのロック爪が取付軸に固定のセクタギヤに噛合って、この噛合いをバネが付勢し、アームレストを希望角度に保持させ、ロッドが後方移動すると、ロッドはロックギヤの上部を後方に押すから、ロックギヤのロック爪は反対時計方向回動してセクタギヤから離脱し、アームレストは取付軸に対して回動自在状態となる（公報第００１５段）。そして、このようにシートバック（背凭シート）に角度調節可能に設けたものや水平位置に固定して設けたものなど各種構造のアームレストが知られている。
【０００３】
ところで、従来のアームレストはいずれも製造時においてシートバックに固定するものであるため、その後、簡単に交換することができなかった。例えば、車両において、ウォークスルーや回転対座に対応したシート装置では、それらの機能のためにアームレストの寸法が制約を受け、所定寸法内に収めるように製造されるためアームレストが小型になり、それらの機能を使用しない場合でも、小型のアームレストをそのまま使用しなければならず、使用者の好みに適したものを使用することができなかった。
【０００４】
そこで、本発明は、シートバックからアームレスト本体を着脱可能なアームレスト装置を提供することを目的とし、また、着脱操作が容易なアームレスト装置を提供することを目的とする。
【０００５】
【課題を解決するための手段】
請求項１の発明は、シートバックの側部にアームレスト本体を設けたアームレスト装置において、前記アームレスト本体の内側面に取付け軸を突設し、この取付け軸を前記シートバックに着脱可能に設け、前記取付け軸に前記アームレスト本体を回動可能に設け、前記シートバックに前記取付け軸を着脱可能に挿入する挿入受け部を設け、この挿入受け部に挿入した前記取付け軸に係合して該取付け軸を固定する係合固定部材を前記シートバックに設け、前記シートバックの側部に開口凹所を形成し、この開口凹所内に前記係合固定部材の操作部を配置し、前記取付け軸に係合凹部を設け、前記係合固定部材は、前記係合凹部に係合する係合部を有する係合プレートと、前記係合部が前記係合凹部に係合するように付勢する付勢手段とを有し、前記係合プレートには該係合プレートを操作する前記操作部を一体に設け、この操作部を一体に設けた係合プレートを案内する案内部材を設け、前記開口凹所に前記挿入受け部と前記案内部材とを収納し、前記挿入受け部の下側に前記操作部を配置し、前記シートバックと前記アームレスト本体との間に可動部分がなく前記アームレスト本体内に可動部分を有するように前記アームレスト本体に角度調節機構を設け、前記アームレスト本体がほぼ水平位置において、前記操作部が該アームレスト本体の内側面により隠れるものである。
【０００６】
この請求項１の構成によれば、シートバックに取付け軸を着脱することにより、シートバックにアームレスト本体を着脱することができる。また、取付け軸に対してアームレスト本体が回動して角度を調節できるから、シートバックに対して取付け軸を回動可能に設ける必要がなく、着脱の機構が簡略化でき、かつ取付け状態が安定したものになる。また、挿入受け部に取付け軸を挿入し、該取付け軸に係合固定部材を係合してアームレスト本体をシートバックに取り付けることができ、逆に係合固定部材の係合を解除することにより、アームレスト本体を取り外すことができる。また、操作部を操作して、取付け軸に対する係合固定部材の係合状態を操作し、挿入受け部から取付け軸を抜き取ることができ、これらの操作を行う操作部をシートバックの開口凹所に配置したから、外部から接触して不必要に前記係合状態が解除されることを予防できる。また、取付け状態では、付勢手段により係合プレートの係合部が係合凹部に係合して取付け軸が固定されているから、外れる虞がなく、付勢手段に抗して係合プレートの係合状態を解除することにより、取付け軸を抜き取ることができる。また、操作部を一体に向けた係合プレートが案内部材に案内され、操作部によりその係合プレートを操作することができる。そして、挿入受け部と案内部材とを開口凹所に収納したから、アームレスト本体を取り外した状態でシートバックの側部に出っ張りがなく、また、挿入受け部の下側に前記操作部を配置すると共に、前記アームレスト本体がほぼ水平位置において、前記操作部が該アームレスト本体の内側面により隠れるから、アームレスト本体の使用状態で、外部から不必要に操作部に接触して前記係合状態が解除されることを予防できる。さらに、アームレスト本体に角度調整機構を設けたから、可動部分がアームレスト本体内となり、シートバックとアームレスト本体との間に可動部分がなくなる。したがって、この可動部分の潤滑剤などが外部に出ることもない。
【０００７】
【発明の実施形態】
以下、本発明の実施形態を添付図面を参照して説明する。図１ないし図５は、本発明の一実施例を示し、同図に示すように、車両用シート装置１は、背凭シートであるシートバック２と、座席シートであるシートクッション３と、前記シートバック２の側部に設けるアームレスト本体４とを備える。前記シートバック２は、前記シートクッション３の後部に前後方向回動可能に取付けられ、図２に示すように、内部に骨格フレーム５を備え、この骨格フレーム５の周囲を、ウレタンフォーム材などのクッション性を有するパッド６により覆うと共に、このパッド６の外面を表皮７により覆ってなる。前記シートバック２の側部には、前記アームレスト本体４の取付け位置に対応して開口凹所８を形成し、この開口凹所８の内壁は前記表皮７により覆われている。尚、前記図２は上下を反転して図示している。
【０００８】
前記シート装置１におけるアームレスト本体４の着脱構造について説明すると、前記開口凹所８において、前記骨格フレーム５にブラケット11を設け、このブラケット11の一方の対向する角部には、内面側に突出した取付け段部12，12を形成し、この取付け段部12に透孔13を穿設し、この透孔13に挿通したボルト14を前記骨格フレーム５に螺着してブラケット11を取付けている。前記骨格フレーム５のほぼ中央に孔15を穿設し、この孔15に前記アームレスト本体４の取付け軸101が挿脱可能に挿入され、前記孔15に対応して、前記ブラケット11に孔16を穿設し、また、ブラケット11の他方の対向する角部側には、外面側に雌螺子筒17，17を突設しており、該雌螺子筒17に鍔部17Ａを一体に形成し、内面側から雌螺子筒17をブラケット11に挿通し、該ブラケット11の裏面に前記鍔部17Ａを溶着することにより雌螺子筒17を設けている。前記取付け軸101はアームレスト本体４の内側面基端から突出されている。また、前記ブラケット11の外面側にほぼ円板状の軸用ブラケット18を取付け、この軸用ブラケット18は、前記雌螺子筒17に対応して、内面側に突出した取付け段部19，19を形成し、この取付け段部19に透孔20を穿設し、この透孔20に外面側からボルト21を前記雌螺子筒17に螺着することにより取付けられ、その中央には挿入受け部たる筒部22が一体に設けられ、前記軸用ブラケット18が金属製であれば溶着，樹脂製であれば一体成形により一体に設けられ、取付け状態で、前記筒部22の先端は前記孔16に挿通すると共に、前記骨格ブラケット18の外面に当接する。そして、前記筒部22内に前記取付け軸101が挿脱可能に挿入される。また、前記軸用ブラケット18の外面側には、樹脂などから成形したカバー体23が設けられ、この案内部材であるカバー体23の内面側には前記軸用ブラケット18の外周に外嵌する周壁部24が形成され、この周壁部24の先端内側に前記軸用ブラケット18の内面に係止する係止爪部25が複数設けられている。また、カバー体23の中央には前記筒部22と連通する孔26が形成され、さらに、カバー体23には、外面と周面に開口した段付き凹部27が形成され、この段付き凹部27は外周側から第１，第２段部28，28Ａを有する。そのカバー体23には係合固定部材29がスライド可能に組み込まれ、この係合固定部材29は、前記取付け軸101の係合凹部102に係合する係合プレート30と、この係合プレート30に一体に設けた操作部31とからなり、この操作部31は前記段付き凹部27とほぼ同形であり、前記係合プレート30には前記取付け軸101を遊挿する孔32を形成し、この孔32の縁部32Ｆが前記係合凹部102に係合し、また、前記第１段部28と孔26の間に前記係合プレート30がスライド可能なスライド溝33を設けると共に、このスライド溝33と対向する位置で前記孔26の内周には前記係合プレート30の先端がスライド可能なスライド溝34を形成する。また、前記第２段部28には左右の筒溝部35，35を設けると共に、これら筒溝部35，35に対向して前記操作部31の対向面に筒溝部35Ａ，35Ａが設けられ、これら筒溝部35，35Ａ間に付勢手段たるコイルスプリング37が配置される。また、前記段付き凹部27の底面に抜止め突起38を設けると共に、この抜止め突起38が係止する係止部39Ａを有する溝部39を、前記係合固定部材29の内面側に形成している。そして、前記抜止め突起35は前記係合凹部102に前記縁��32Ｆが係止する位置より軸中心外方において前記係止部39Ａに係止し、かつこの係止位置から中心側への操作部31の移動を許容する。そして、図２に示すように、前記筒部22を設けた軸用ブラケット18と、係合固定部材をスライド可能に設けたカバー体23とを、前記開口凹所８内に配置している。尚、図５に示すように、係合固定部材29の操作部31は、筒部22の下側に配置されると共に、アームレスト本体４がほぼ水平位置において、図２に示すように、該アームレスト本体４の内側面により隠れるようになっている。
【０００９】
前記アームレスト本体４は前記取付け軸101に対して回動可能に取付けられており、前記取付け軸101に円板状の回止めプレート103を固着し、この回止めプレート103の外面に複数の回り止め手段たるストッパピン104，104を突設し、さらに、前記回止めプレート103の外面を覆う合成樹脂製のカバー105を形成し、このカバー105は前記回止めプレート103の外周を覆う周壁部106を一体に備えると共に、この周壁部106の先端内側に前記カバー105の内面に係止する係止爪部107が複数設けられ、カバー105を取付けた前記回止めプレート103は、アームレスト本体４の内側面に形成した凹所108に収納される。前記カバー105に前記取付け軸101を挿通する孔105Ａとストッパピン104を挿通する孔109とをそれぞれ形成し、また、前記シートバック２には、前記カバー体23にストッパピン104を挿通する孔110を形成し、前記軸用ブラケット18にストッパピン104が係入する係入孔111が形成されている。また、前記取付け軸101には、軸ギヤ120が固着されており、この軸ギヤ102は複数の連結ピン121により前記回止めプレート103に連結されており、アームレスト本体４内に回動可能に設けたロックギヤ122が噛合することにより、アームレスト本体４が角度固定され、該アームレスト本体４の先端内側に設けた操作ノブ123を押すと、図示しない伝達部材がロッド124を進退し、該ロッド124により前記ロックギヤ122が回動して前記軸ギヤ120から離脱し、これによりアームレスト本体４が回動可能となり、操作ノブ123を離すと、図示しないバネなどの復帰手段によりロックギヤ122が軸ギヤ120に噛合してこの位置で固定されるようになっており、それら軸ギヤ120，ロックギヤ122，操作ノブ123，ロッド124，前記伝達部材及び復帰手段などによりアームレスト本体４の角度調節装置125を構成している。
【００１０】
次に前記構成につきその作用を説明すると、アームレスト本体４を交換する場合は、シートバック２の側部とアームレスト本体４の内側面との間に指を差し入れ、操作部31を取付け軸101側に押してやると、係合プレート30の縁部32Ｆが係合凹部102から外れ、取付け軸101を筒部22から抜き取ることができる。そして、操作部31は、筒部22の下側に配置されると共に、アームレスト本体４がほぼ水平位置において、該アームレスト本体４の内側面により隠れるようになっているから、通常の使用時に接触してアームレスト本体４が外れることはない。一方、シートバック２の側部は弾性を有するパッド６に覆われているから、指などを容易に差し入れて操作部31を操作できる。このようにして取付け軸101を取り外したら、シートバック２の側部はカバー体23の外面が該側部とほぼ面一で出っ張りのない状態となり、そのまま使用することもできる。そして、新しい例えば幅広なアームレスト本体４を取付けるには、操作部31を押した状態で、取付け軸101を孔26から挿入すると共に、両側のストッパピン104，104を孔110，110に合わせて挿入し、係合凹部102が係合プレート30位置まで来ると、コイルスプリング37の付勢により縁部32Ｆが係合凹部102に係合する。尚、図示しないが取付け軸101の先端を先細になるテーパーに形成し、抜止め突起38が係止部39Ａに係止した状態で孔32内に取付け軸101が挿入されるようにしてもよく、また、図２に示す状態で係合凹部102を略逆Ｖ字形状にしてもよい。このようにアームレスト本体４を所望の形状大きさのものに簡便に交換することができ、取付け状態で取付け軸101とストッパピン104，104の３点で固定されるため、がつつき等のない良好な固定状態が得られる。
【００１１】
このように本実施例では、請求項１に対応して、シートバック２の側部にアームレスト本体４を設けたアームレスト装置において、アームレスト本体４の内側面に取付け軸101を突設し、この取付け軸101をシートバック２に着脱可能に設けたから、シートバック２に取付け軸101を着脱することにより、シートバック２にアームレスト本体４を着脱することができる。また、取外した状態でシートバック２の出っ張りが少ない。そして、このようにして使用者がアームレスト本体４を脱着して、幅などの寸法を最大限にでき、アームレスト本体４の使用感を向上することができる。
【００１２】
また、このよう本実施例では、請求項１に対応して、取付け軸101にアームレスト本体４が回動可能に設けられているから、取付け軸101に対してアームレスト本体４が回動して角度を調節できるから、シートバック２に対して取付け軸101を回動可能に設ける必要がなく、着脱の機構が簡略化でき、かつ取付け状態が安定したものになる。
【００１３】
さらに、このように本実施例では、請求項１に対応して、シートバック２に取付け軸101を着脱可能に挿入する挿入受け部たる筒部22を設け、この筒部22に挿入した取付け軸101に係合して該取付け軸101を固定する係合固定部材29をシートバック２に設けたから、筒部22に取付け軸101を挿入し、該取付け軸101に係合固定部材29を係合してアームレスト本体４をシートバック２に取り付けることができ、逆に係合固定部材29の係合を解除することにより、アームレスト本体４を取り外すことができる。
【００１４】
さらに、このように本実施例では、請求項１に対応して、シートバック２の側部に開口凹部８を形成し、この開口凹所８内に係合固定部材29の操作部31を配置したから、操作部31を操作して、取付け軸101に対する係合固定部材29の係合状態を操作し、筒部22から取付け軸101を抜き取ることができ、これらの操作を行う操作部31をシートバック２の開口凹所８に配置したから、外部から接触して不必要に前記係合状態が解除されることを予防できる。
【００１５】
さらに、請求項１の発明は、取付け軸101に係合凹部102を設け、係合固定部材29は、係合凹部102に係合する係合部たる縁部32Ｆを有する係合プレート30と、縁部32Ｆが係合凹部102に係合するように付勢する付勢手段たるコイルスプリング37とを有するから、取付け状態では、コイルスプリング37により係合プレート30の縁部32Ｆが係合凹部102に係合して取付け軸101が固定されているから、外れる虞がなく、コイルスプリング37に抗して係合プレート30の係合状態を解除することにより、取付け軸101を抜き取り、アームレスト本体４を交換することができる。
【００１６】
しかも、このように本実施例では、請求項１に対応して、係合プレート30には該係合プレート30を操作する操作部31を一体に設け、この操作部31を一体に設けた係合プレート30を案内する案内部材たるカバー体23を設け、シートバック２の側部に開口凹所８を形成し、この開口凹所８に筒体22とカバー体23とを収納し、挿入受け部たるたる筒部22の下側に操作部31を配置し、シートバック２とアームレスト本体４との間に可動部分がなくアームレスト本体４内に可動部分を有するようにアームレスト本体４に角度調節機構125を設け、アームレスト本体４がほぼ水平位置において、操作部31が該アームレスト本体４の内側面により隠れるから、操作部31を一体に向けた係合プレート30がカバー体23に案内され、操作部31によりその係合プレート30を操作することができる。そして、筒部22とカバー体23とを開口凹所８に収納したから、アームレスト本体４を取り外した状態でシートバック２の側部に出っ張りがなく、また、アームレスト本体４の使用状態で、外部から不必要に操作部31に接触して前記係合状態が解除されることを予防でき、また、操作部31に不用意に接触することがない。さらに、アームレスト本体４に角度調整機構125を設けたから、可動部分がアームレスト本体４内となり、シートバック２とアームレスト本体４との間に可動部分がなくなる。したがって、この可動部分の潤滑剤などが外部に出ることもない。
【００１７】
尚、本発明は上記実施例に限定されるものではなく、本発明の要旨の範囲内において、種々の変形実施が可能である。例えば、係合凹部に係合部が係合した状態で取付け軸が抜けなければ、係合凹部の形状及び係合部の形状は適宜選定可能である。また、ストッパピンは１本でもよい。
【００１８】
【発明の効果】
請求項１の発明は、シートバックの側部にアームレスト本体を設けたアームレスト装置において、前記アームレスト本体の内側面に取付け軸を突設し、この取付け軸を前記シートバックに着脱可能に設け、前記取付け軸に前記アームレスト本体を回動可能に設け、前記シートバックに前記取付け軸を着脱可能に挿入する挿入受け部を設け、この挿入受け部に挿入した前記取付け軸に係合して該取付け軸を固定する係合固定部材を前記シートバックに設け、前記シートバックの側部に開口凹所を形成し、この開口凹所内に前記係合固定部材の操作部を配置し、前記取付け軸に係合凹部を設け、前記係合固定部材は、前記係合凹部に係合する係合部を有する係合プレートと、前記係合部が前記係合凹部に係合するように付勢する付勢手段とを有し、前記係合プレートには該係合プレートを操作する前記操作部を一体に設け、この操作部を一体に設けた係合プレートを案内する案内部材を設け、前記開口凹所に前記挿入受け部と前記案内部材とを収納し、前記挿入受け部の下側に前記操作部を配置し、前記シートバックと前記アームレスト本体との間に可動部分がなく前記アームレスト本体内に可動部分を有するように前記アームレスト本体に角度調節機構を設け、前記アームレスト本体がほぼ水平位置において、前記操作部が該アームレスト本体の内側面により隠れるものであり、着脱操作が容易で、シートバックからアームレスト本体を着脱可能なアームレスト装置を提供することができる。また、可動部分がアームレスト本体内となり、シートバックとアームレスト本体との間に可動部分がなくなる。したがって、この可動部分の潤滑剤などが外部に出ることのないアームレスト装置を提供することができる。
【００１９】
【図面の簡単な説明】
【図１】本発明の一実施例を示すシート装置の斜視図である。
【図２】本発明の一実施例を示す着脱構造の断面図である。
【図３】本発明の一実施例を示す着脱構造の分解斜視図である。
【図４】本発明の一実施例を示す着脱構造の要部の断面図であり、取付け軸を断面にしている。
【図５】本発明の一実施例を示すアームレスト本体を取り外した状態の斜視図である。
【符号の説明】
２  シートバック
４  アームレスト本体
８  開口凹所
22  筒部（挿入受け部）
23  カバー体（案内部材）
29  係合固定部材
30  係合プレート
31  操作部
32Ｆ  縁部
37  スプリング（付勢手段）
101  取付け軸
125  角度調節機構
【図１】
0003596404.tif 000002
【図２】
0003596404.tif 000003
【図３】
0003596404.tif 000004
【図４】
0003596404.tif 000005
【図５】
0003596404.tif 000006